(57)【要約】      （修正有）【課題】端子部セット及びそれを含む電気コネクタを提供する。【解決手段】端子部セット１は二つの信号端子部１１及び二つの接地端子部１２を有し、信号端子セットは接地端子部の間に互いに平行するように配置される。信号端子部の間、信号端子部と接地端子部の間、又は端子部の間にはギャップ１３を置いている。電気コネクタは端子部セット及び本体前部を有し、端子部セットは本体前部に設置され、本体前部の挿入面に前対向ホールが設けられている。このようにして、本発明の端子部セット及びそれを含む電気コネクタにおいて、信号端子部及び接地端子部の抵抗を最適な範囲に調整させることができ、端子部セット及び電気コネクタの放熱効率を向上させる効果を果たしている。【選択図】図１
2015076173.tif 000002
【特許請求の範囲】
【請求項１】
二つの信号端子部と、二つの接地端子部とを有する端子部セットであって、
前記信号端子部が互いに平行するように前記接地端子部の間に配置され、
前記信号端子部の間、前記信号端子部と前記接地端子部との間、又は前記端子部の間にはギャップを置いていることを特徴とする端子部セット。
【請求項２】
前記信号端子部の間、前記信号端子部と前記接地端子部との間、又は前記端子部の間には、前記ギャップを形成するように、少なくとも一つのスペーサーが配置される請求項１に記載の端子部セット。
【請求項３】
少なくとも一つの凸状部材を更に含んでおり、前記凸状部材は、互いに繋がっているスペーサー及びガイド凸部を有し、前記スペーサーが前記信号端子部の間、信号端子部と前記接地端子部との間、又は前記端子部の間に前記ギャップを形成するように配置され、前記ガイド凸部が前記信号端子部又は前記接地端子部に挿入されている請求項１から２のいずれかに記載の端子部セット。
【請求項４】
上スペーサー又は下スペーサーを含んでおり、
前記上スペーサーが、前記信号端子部の上側面の間、前記信号端子部の上側面と前記接地端子部の上側面の間、又は前記端子部の上側面の間に前記ギャップを形成するように配置され、
前記下スペーサーが、前記信号端子部の下側面の間、前記信号端子部の下側面と前記接地端子部の下側面との間、又は前記端子部の下側面の間に前記ギャップを形成するように配置されている請求項１から３のいずれかに記載の端子部セット。
【請求項５】
ギャップの幅が０．０５ミリメートルより大きい請求項１から４のいずれかに記載の端子部セット。
【請求項６】
少なくとも１セットの請求項１に記載の端子部セット及び本体前部を含む電気コネクタであって、
前記端子部セットが前記本体前部に配置され、前記本体前部の一対の挿入面に少なくとも一つの前対向ホールが設けられていることを特徴とする電気コネクタ。
【請求項７】
前対向ホールの数量及び配置場所が、前記ギャップの数量と配置場所に対応する請求項６に記載の電気コネクタ。
【請求項８】
本体後部を更に含んでおり、本体前部及び端子部セットが前記本体後部に配置され、前記本体後部の後壁面に少なくとも一つの後対向ホールが設けられている請求項６から７のいずれかに記載の電気コネクタ。
【請求項９】
後対向ホールの数量及び配置場所が、ギャップの数量及び配置場所に対応する請求項８に記載の電気コネクタ。
【発明の詳細な説明】
【技術分野】
【０００１】
本発明は、端子部セット及びそれを含む電気コネクタに関する。特に、端子部及び接地端子部の抵抗を最適な範囲に調整させると共に、端子部セットと電気コネクタの放熱効率を向上させることができる端子部セット、及びそれを含む電気コネクタに関する。
【背景技術】
【０００２】
パソコンと電子デバイスの連結を一層多様にさせるために、パソコン及び電子デバイスは様々な電気コネクタを備えている。一般、周知の電気コネクタは、二つの信号端子部が二つの接地端子部の間に設置されている。ただし、従来の電気コネクタでは、前記信号端子部及び前記接地端子部が緊密に配列されている他に、前記信号端子部及び前記接地端子部がより高い有効比誘電率を有するものであるため、それの電力消耗率を増加させてしまう。また、前記信号端子部と前記接地端子部との間には空気を流通することができないため、前記信号端子部及び前記接地端子部による熱を有効に放熱するのは不可能である。結局、従来の電気コネクタは放熱効率のよくないものである。
【発明の概要】
【発明が解決しようとする課題】
【０００３】
従って、本発明は、端子部及び接地端子部の抵抗を最適な範囲に調整できると共に、端子部セットと電気コネクタの放熱効率を向上させることが可能な端子部セット及びそれを含む電気コネクタを提供することを目的とする。
【０００４】
上記従来技術の欠点に鑑みて、本発明者らは、鋭意に改善点を考察する上、業界での数年積み重なった経験に基づいて技術上の難題を克服した。そして、信号端子部と接地端子部の抵抗を最適な範囲に調整できると共に、端子部セットと電気コネクタの放熱効率を向上させることができるという目的を達成できる端子部セット及びそれを含む電気コネクタを見出し、本発明を完成するに至った。
【課題を解決するための手段】
【０００５】
上記及び他の目的を達成するために、本発明の第一形態は、二つの信号端子部と、二つの接地端子部とを有する端子部セットであって、前記信号端子部は互いに平行するように前記接地端子部の間に配置され、前記信号端子部の間、前記信号端子部と前記接地端子部との間、又は前記端子部の間にギャップを置いている。
【０００６】
前記端子部セットにおいて、前記信号端子部の間、前記信号端子部と前記接地端子部との間、又は前記端子部の間には、前記ギャップを形成するように、少なくとも一つのスペーサーが配置されることが好ましい。
【０００７】
前記端子部セットには、少なくとも一つの凸状部材を更に含んでおり、前記凸状部材は、互いに繋がっているスペーサー及びガイド凸部を有し、前記スペーサーは前記信号端子部の間、信号端子部と前記接地端子部との間、又は前記端子部の間には、前記ギャップを形成するように配置され、前記ガイド凸部は前記信号端子部又は前記接地端子部に挿入されていることが好ましい。
【０００８】
前記端子部セットにおいて、上スペーサー又は下スペーサーを含んでおり、前記上スペーサーは、前記信号端子部の上側面の間、前記信号端子部の上側面と前記接地端子部の上側面との間、又は前記端子部の上側面の間に前記ギャップを形成するように配置され、前記下スペーサーは、前記信号端子部の下側面の間、前記信号端子部の下側面と前記接地端子部の下側面との間、又は前記端子部の下側面の間に前記ギャップを形成するように配置されていることが好ましい。
【０００９】
前記端子部セットにおいて、前記ギャップの幅が０．０５ミリメートルより大きいことが好ましい。
【００１０】
本発明の第二形態は、少なくとも１セットの第一形態で述べている端子部セット及び本体前部を含む電気コネクタであって、前記端子部セットは前記本体前部に配置され、前記本体前部の一対の挿入面に少なくとも一つの前対向ホールが設けられている。
【００１１】
上記電気コネクタにおいて、前記前対向ホールの数量及び配置場所は、前記ギャップの数量及び配置場所に対応していることが好ましい。
【００１２】
上記電気コネクタは、更に本体後部を含んでおり、前記本体前部及び前記端子部セットは前記本体後部に配置され、前記本体後部の後壁面に少なくとも一つの後対向ホールが設けられていることが好ましい。
【００１３】
上記電気コネクタにおいて、前記後対向ホールの数量及び配置場所は、前記ギャップの数量及び配置場所に対応していることが好ましい。
【発明の効果】
【００１４】
上記構造により、本発明の端子部セットとそれを有する電気コネクタは、信号端子部と接地端子部の抵抗を最適な範囲に調整させることができる他に、端子部セット及び電気コネクタの放熱効率を向上させる効果を有している。
【図面の簡単な説明】
【００１５】
【図１】図１は、本発明の第１具体的実施例を示す概略図１である。
【図２】図２は、本発明の第１具体的実施例を示す概略図２である。
【図３】図３は、本発明の第１具体的実施例を示す概略図３である。
【図４】図４は、本発明の第１具体的実施例を示す概略図４である。
【図５】図５は、本発明の第１具体的実施例を示す概略図５である。
【図６】図６は、本発明の第１具体的実施例を示す概略図６である。
【図７】図７は、本発明の第１具体的実施例のスペーサーを示す概略図である。
【図８】図８は、本発明の第１具体的実施例の間隔凸部を示す概略図である。
【図９】図９は、本発明の第２具体的実施例の端子部セット及び本体前部を示す概略図である。
【図１０】図１０は、本発明の第２具体的実施例の前対向ホールを示す概略図である。
【図１１】図１１は、本発明の第２具体的実施例の端子部セット、本体前部と本体後部を示す概略図である。
【図１２】図１２は、本発明の第２具体的実施例の後対向ホールを示す概略図である。
【発明を実施するための形態】
【００１６】
本発明の目的、特徴及び効果を明らかにするため、次に挙げた具体的実施例を以て、図面を参照しながら本発明を詳しく説明する。
【００１７】
図１乃至図７は、それぞれ本発明の第１具体的実施例を示す概略図１〜６、及びスペーサーを示す概略図である。
図面の示す通り、本発明の第一形態は端子部セット１である。実際に適用する場合は１セット以上の端子部セット１がそれぞれ並列に配置されるとしてもよい。
前記端子部セット１は、二つの信号端子部１１及び二つの接地端子部１２を含む。図１に示すように、前記端子部１１、１２はそれぞれ導電端子（非図示）及びカバー１１１、１２１を有している。前記カバー１１１、１２１で前記導電端子をそれぞれ覆うことにより、前記導電端子との接触によるショートの発生を防止することが可能になり、導電端子間の絶縁を効果的に確保する。前記導電端子の上導電ピンセット１１２、１２２及び下導電ピンセット１１３、１２３は前記カバー１１１、１２１の前側から延出している。前記導電端子の導電ピンセット１１５、１２４はカバー１１１、１２１の底部から延出している。
前記導電ピンセット１１５、１２４は、それぞれ上導電ピンセット１１２、１２２、及び前記下導電ピンセット１１３、１２３に対応して設けられている。前記上導電ピンセット１１２、１２２及び前記下導電ピンセット１１３、１２３は、外部電子デバイス（非図示）に接続し、前記導電ピンセット１１５、１２４は回路板（非図示）に溶接する。その中、前記信号端子部１１は互いに平行するように、前記接地端子部１２の間に配置されている。又、図１及び図２（図１の俯瞰図）に示すように、前記信号端子部１１の間にはギャップ１３を有してもよい。
又、図３と図４（図３の部分拡大図）に示すように、前記信号端子部１１と前記接地端子部１２との間にはギャップ１４を有してもよい。又は図５と図６（図５の部分拡大図）に示すように、前記端子部１１、１２はそれぞれギャップ１３、１４を有してもよい。前記端子部１１、１２は緊密に配列されている場合、前記ギャップ１３、１４は、前記信号端子部１１の間、前記信号端子部１１と前記接地端子部１２との間に別々に形成されてもよく、又は前記信号端子部１１の間と前記接地端子部１２の間にそれぞれ形成されてもよい。なお、前記端子部１１、１２が緊密に配列されている場合、前記ギャップ１３、１４は、前記信号端子部１１の厚み、前記接地端子部１２の厚み、又は同時に前記信号端子部１１と前記接地端子部１２の厚みを減少するように形成されてもよい。
【００１８】
上記の通り、ギャップ１３、１４の設置によれば、前記信号端子部１１又は前記接地端子部１２における導電端子により電場を発生する場合は、その電場が前記ギャップ１３、１４（空気）を通るので、導電端子の比誘電率を効果的に下げる。これで、前記導電端子（前記信号端子部１１又は前記接地端子部１２）の抵抗を最適範囲にすることができ、更に前記導電端子（前記信号端子部１１又は接地端子部１２）の電力消耗率を下げることができる。
【００１９】
図７に示すように、上記の端子部セット１には、前記ギャップ１３、１４として、少なくとも一つのスペーサー１５が設けられてもよい。前記スペーサー１５は前記信号端子部１１の間、前記信号端子部１１と前記接地端子部１２との間、又は前記端子部１１、１２との間に配置されてもよい。
【００２０】
図８は、本発明の第１具体的実施例の間隔凸部を示す概略図である。図面に示すように、上記の端子部セット１には、前記ギャップ１３、１４として、更に少なくとも一つの間隔凸部１６を有してもよく、前記間隔凸部１６は相互に連結するスペーサー１６１及びガイド凸部１６２を有し、前記スペーサー１６１は前記信号端子部１１の間、前記信号端子部１１と前記接地端子部１２との間、又は前記端子部１１、１２との間に配置されてもよい。前記ガイド凸部１６２は前記信号端子部１１又は前記接地端子部１２の貫通穴１１４（又は凹み）に挿入している。前記ガイド凸部１６２により、前記信号端子部１１、前記信号端子部１１及び前記接地端子部１２、又は前記端子部１１、１２が所定の箇所に位置させる。
【００２１】
図５に示すように、上記の端子部セット１には、前記ギャップ１３、１４として、上スペーサー２１が設けられてもよい。前記上スペーサー２１は、前記信号端子部１１の上側面の間、前記信号端子部１１の上側面と前記接地端子部１２の上側面との間、又は前記端子部１１、１２の上側面の間に配置されてもよい。また、前記ギャップ１３、１４として、下スペーサー（原理は上スペーサーと同じであるので、図示していない）が設けられてもよい。前記信号端子部１１の下側面の間、前記信号端子部１１の下側面と前記接地端子部１２の下側面との間、又は前記端子部１１、１２の下側面の間に配置され、前記ギャップ１３、１４及び前記上スペーサー２１（又は下スペーサー）は本体前部２の内壁面上方（又は下方）の間隔ブロック又は間隔スティックであってもよい。
【００２２】
上記の端子部セットにおいて、前記ギャップ１３、１４の幅は０．０５ミリメートルより大きいことが好ましい。
【００２３】
図９は、本発明の第２具体的実施例の端子部セットと本体前部を示す概略図である。図面に示すように、本発明の第二形態は、少なくとも１セットの上記第一形態に述べている端子部セット１と、本体前部２を有する電気コネクタ４であって、前記本体前部２の材質は、例えば、プラスチックなどが挙げられる。また、本体前部２の後部と底部は開口してもよく、前記本体前部２の一対の挿入面２２は少なくとも一つの前対向ホール２２１を有し、前記端子部セット１は前記本体前部２の後側から前記本体前部２に配置されている。
【００２４】
上記の通り、前記ギャップ１３、１４及び前記前対向ホール２２１の設置によれば、外部の空気は、前記前対向ホール２２１及び前記ギャップ１３、１４を通じて前記本体前部２の後部に流通するに伴って、前記端子部セット１による廃熱を移すことができ、これで前記電気コネクタ４の前記信号端子部１１又は前記接地端子部１２での熱を効果的に放熱すると共に、前記電気コネクタ４の放熱効率を上げることが可能になる。
【００２５】
図１０は、本発明の第２具体的実施例の前対向ホールを示す概略図である。図面に示すように、上記電気コネクタ４に、前記前対向ホール２２１の数量と配置場所は前記ギャップ１３、１４の数量と配置場所に対応することにより、空気をスムーズに流動すると共に、前記電気コネクタ４の放熱効率を上げることが可能になる。
【００２６】
図１１は、本発明の第２具体的実施例の端子部セット、本体前部及び本体後部を示す概略図である。図面に示すように、前記電気コネクタ４において、更に本体後部３を有してもよい。前記本体後部３は金属材質でもよく、その前側と底側は開口してもよく、前記本体後部３の後壁面３１には少なくとも一つの後対向ホール３１１を有し、前記本体前部２及び前記端子部セット１は、前記本体後部３の前側から前記本体後部３に設置される。前記ギャップ１３、１４、前記前対向ホール２２１及び前記後対向ホール３１１の設置によれば、外部の空気は、前記前対向ホール２２１及び前記ギャップ１３，１４を通じて前記後対向ホール３１１に流通するに伴って、前記端子部セット１により生じた廃熱を移すことができるようになり、これで前記電気コネクタ４の前記信号端子部１１又は前記接地端子部１２での熱を効果的に放熱すると共に、前記電気コネクタ４の放熱効率を上げることが可能になる。
【００２７】
図１２は、本発明の第２具体的実施例の後対向ホールを示す概略図である。図面に示すように、上記電気コネクタ４において、前記後対向ホール３１１の数量及び配置場所は、前記ギャップ１３、１４の数量と配置場所に対応して設けることにより、空気をスムーズに流通すると共に、前記電気コネクタ４の放熱効率を上げることが可能になる。
【符号の説明】
【００２８】
１    端子部セット
１１    信号端子部
１１１    カバー
１１２    上導電ピンセット
１１３    下導電ピンセット
１１４    貫通穴
１１５    導電ピンセット
１２    接地端子部
１２１    カバー
１２２    上導電ピンセット
１２３    下導電ピンセット
１２４    導電ピンセット
１３    ギャップ
１４    ギャップ
１５    スペーサー
１６    間隔凸部
１６１    スペーサー
１６２    ガイド凸部
２    本体前部
２１    上スペーサー
２２    挿入面
２２１    前対向ホール
３    本体後部
３１    後壁面
３１１    後対向ホール
４    電気コネクタ
【図１】
2015076173.tif 000003
【図２】
2015076173.tif 000004
【図３】
2015076173.tif 000005
【図４】
2015076173.tif 000006
【図５】
2015076173.tif 000007
【図６】
2015076173.tif 000008
【図７】
2015076173.tif 000009
【図８】
2015076173.tif 000010
【図９】
2015076173.tif 000011
【図１０】
2015076173.tif 000012
【図１１】
2015076173.tif 000013
【図１２】
2015076173.tif 000014
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
二つの信号端子部と、二つの接地端子部とを有する端子部セットであって、
前記信号端子部が互いに平行するように前記接地端子部の間に配置され、
前記信号端子部の間、前記信号端子部と前記接地端子部との間、又は前記信号端子部と前記接地端子部との全ての間にはギャップを置いていることを特徴とする端子部セット。
【請求項２】
前記信号端子部の間、前記信号端子部と前記接地端子部との間、又は前記信号端子部と前記接地端子部との全ての間には、前記ギャップを形成するように、少なくとも一つのスペーサーが配置される請求項１に記載の端子部セット。
【請求項３】
少なくとも一つの凸状部材を更に含んでおり、前記凸状部材は、互いに繋がっているスペーサー及びガイド凸部を有し、前記スペーサーが前記信号端子部の間、信号端子部と前記接地端子部との間、又は前記信号端子部と前記接地端子部との全ての間に前記ギャップを形成するように配置され、前記ガイド凸部が前記信号端子部又は前記接地端子部に挿入されている請求項１から２のいずれかに記載の端子部セット。
【請求項４】
上スペーサー又は下スペーサーを含んでおり、
前記上スペーサーが、前記信号端子部の上側面の間、前記信号端子部の上側面と前記接地端子部の上側面の間、又は前記信号端子部の上側面と前記接地端子部の上側面との全ての間に前記ギャップを形成するように配置され、
前記下スペーサーが、前記信号端子部の下側面の間、前記信号端子部の下側面と前記接地端子部の下側面との間、又は前記信号端子部の下側面と前記接地端子部の下側面との全ての間に前記ギャップを形成するように配置されている請求項１から３のいずれかに記載の端子部セット。
【請求項５】
ギャップの幅が０．０５ミリメートルより大きい請求項１から４のいずれかに記載の端子部セット。
【請求項６】
少なくとも１セットの請求項１に記載の端子部セット及び本体前部を含む電気コネクタであって、
前記端子部セットが前記本体前部に配置され、前記本体前部の一対の挿入面に少なくとも一つの前対向ホールが設けられていることを特徴とする電気コネクタ。
【請求項７】
前対向ホールの数量及び配置場所が、前記ギャップの数量と配置場所に対応する請求項６に記載の電気コネクタ。
【請求項８】
本体後部を更に含んでおり、本体前部及び端子部セットが前記本体後部に配置され、前記本体後部の後壁面に少なくとも一つの後対向ホールが設けられている請求項６から７のいずれかに記載の電気コネクタ。
【請求項９】
後対向ホールの数量及び配置場所が、ギャップの数量及び配置場所に対応する請求項８に記載の電気コネクタ。